(57)【要約】【課題】ネットワーク管理の混乱を招かない効率的な管理作業を実現するために、ネットワークマップの作成状態を明示すること。【解決手段】ネットワーク管理装置は、ネットワーク機器の情報に基づいてマップを作成して記憶するマップ記憶部と、指定されたマップ作成状態をマップと関連付けて記憶するマップ状態記憶部とを備えている。マップ作成状態を「作成中」と指定した場合、マップの開示を禁止すると同時に、作成中であることを全てのネットワーク機器に告知する。一方、マップ作成状態を「作成完了」と指定した場合、すべてのネットワーク機器が含まれているかどうかを検査し、含まれている場合に限り、マップの開示を許可する。【選択図】        図１
2008047070.tif 000002
【特許請求の範囲】
【請求項１】
ネットワーク上で稼動しているすべてのネットワーク機器の情報を取得する取得手段と、
前記取得手段によって取得された情報を記憶する情報記憶手段と、
前記情報記憶手段により記憶されたネットワーク機器をリストとして画面表示するリスト画面表示手段と、
前記情報記憶手段により記憶されたネットワーク機器をマップとして配置する位置を指定する位置指定手段と、
前記情報記憶手段により記憶されたネットワーク機器の種類に応じて表示画像を選択する画像選択手段と、
前記位置指定手段で指定された位置と前記画像選択手段で選択された画像に応じて前記マップを作成する作成手段と、
前記マップの作成状態を指定する作成状態指定手段と、
前記作成状態指定手段で指定された作成状態を該当する前記マップと関連付けて保持する作成状態保持手段と、
を有することを特徴とするネットワーク管理装置。
【請求項２】
請求項１に記載のネットワーク管理装置において、前記作成状態指定手段で指定された作成状態は、作成中、または作成完了のいずれかであることを特徴とするネットワーク管理装置。
【請求項３】
請求項１に記載のネットワーク管理装置において、前記作成状態指定手段で指定された作成状態が作成中である場合、前記マップの開示禁止を指示する指示手段を有することを特徴とするネットワーク管理装置。
【請求項４】
請求項１に記載のネットワーク管理装置において、前記作成状態指定手段で指定された作成状態が作成中である場合、前記ネットワーク機器の全てに対して、作成中であることを告知する告知手段を有することを特徴とするネットワーク管理装置。
【請求項５】
請求項１に記載のネットワーク管理装置において、前記作成状態指定手段で指定された作成状態が作成完了である場合、前記ネットワーク機器の全てが含まれているかどうかを検査する検査手段と、
前記検査手段で前記ネットワーク機器の全てが含まれていることが確認された場合に限り、前記作成状態を作成完了と保持する保持手段を有することを特徴とするネットワーク管理装置。
【請求項６】
ネットワーク上で稼動しているすべてのネットワーク機器の情報を取得する取得ステップと、
前記取得ステップによって取得された情報を記憶手段に記憶させる情報記憶ステップと、
前記記憶手段に記憶されたネットワーク機器をリストとして画面表示するリスト画面表示ステップと、
前記記憶手段に記憶されたネットワーク機器をマップとして配置する位置を指定する位置指定手段と、
前記記憶手段に記憶されたネットワーク機器の種類に応じて表示画像を選択する画像選択ステップと、
前記位置指定ステップで指定された位置と前記画像選択ステップで選択された画像に応じて前記マップを作成する作成ステップと、
前記マップの作成状態を指定する作成状態指定ステップと、
前記作成状態指定ステップで指定された作成状態を該当する前記マップと関連付けて前記記憶手段に保存する作成状態保存ステップと、
を含むことを特徴とするネットワーク管理方法。
【請求項７】
請求項６に記載のネットワーク管理方法をコンピュータに実行させるプログラム。
【発明の詳細な説明】
【技術分野】
【０００１】
本発明は、ネットワーク上で稼動しているネットワーク機器のネットワーク管理装置、ネットワーク管理方法およびプログラムに関するものである。
【背景技術】
【０００２】
従来、ネットワーク上で稼動しているプリンタ、ＭＦＰ（マルチファンクションプリンタ）、サーバーなどネットワーク上で稼動しているネットワーク機器の管理上の操作性を向上する方法として、ネットワーク上に登録されているすべてのネットワーク機器を検出し、すべての機器のリストやマップを表示することを特徴とするものが特許文献１に開示されている。
【０００３】
【特許文献１】特開２０００−１９４６２６号公報
【発明の開示】
【発明が解決しようとする課題】
【０００４】
しかしながら、特許文献１に開示されているような機器を使用して、ネットワーク管理作業を実施する際、ネットワーク機器の台数が膨大になると、実際の設置レイアウトまで把握してネットワーク管理作業を行うには、作業時間がかなり長くかかることもある。一覧やマップ作成といった管理作業中に、中座することや作業を翌日に持ち越すことが頻繁に発生する。この作業中の状態は、まだ管理作業の終了していないネットワーク情報を含んでいるため、一般ユーザーには開示できない。また、管理作業を終了したと判断してマップを開示したが、ネットワーク機器情報の抜け漏れ、誤操作で実情と合致しないために混乱が発生するという問題点がある。
【０００５】
本発明は、上記に鑑みてなされたものであって、ネットワークを活用するユーザーの混乱を招くことなく、マップの作成状態に応じて適切な処理を行うネットワーク管理装置、ネットワーク管理方法およびプログラムを提供することを目的とする。
【課題を解決するための手段】
【０００６】
上述した課題を解決し、目的を達成するために、請求項１にかかる発明は、ネットワーク上で稼動しているすべてのネットワーク機器の情報を取得する取得手段と、前記ネットワーク機器の情報を記憶する機器情報記憶手段と、前記機器情報記憶手段により記憶されたネットワーク機器をリストとして画面表示するリスト画面表示手段と、前記機器情報記憶手段により記憶されたネットワーク機器を所定のマップ上に配置する位置を指定する位置指定手段と、前記機器情報記憶手段により記憶されたネットワーク機器の種類に応じて表示画像を選択する画像選択手段と、前記位置指定手段で指定された前記位置と前記画像選択手段で選択された前記画像に応じて前記マップを作成する作成手段と、前記マップの作成状態を指定する作成状態指定手段と、前記作成状態指定手段で指定された作成状態を該当する前記マップと関連付けて保持する作成状態保持手段と、を有することを特徴とする。
【０００７】
また、請求項２にかかる発明は、請求項１にかかる発明において、前記作成状態指定手段で指定された作成状態は、作成中、または作成完了のいずれかであることを特徴とする。
【０００８】
また、請求項３にかかる発明は、請求項１にかかる発明において、前記作成状態指定手段で指定された作成状態が作成中である場合、前記マップの開示禁止を指示する指示手段を有することを特徴とする。
【０００９】
また、請求項４にかかる発明は、請求項１にかかる発明において、前記作成状態指定手段で指定された作成状態が作成中である場合、前記ネットワーク機器の全てに対して、作成中であることを告知する告知手段を有することを特徴とする。
【００１０】
また、請求項５にかかる発明は、請求項１にかかる発明において、前記作成状態指定手段で指定された作成状態が作成完了である場合、前記ネットワーク機器の全てが含まれているかどうかを検査する検査手段と、前記ネットワーク機器の全てが含まれていることが確認された場合に限り、前記作成状態を作成完了と保持する保持手段を有することを特徴とする。
【００１１】
また、請求項６にかかる発明は、ネットワーク上で稼動しているすべてのネットワーク機器の情報を取得する取得ステップと、前記取得ステップによって取得された情報を記憶手段に記憶させる情報記憶ステップと、前記記憶手段に記憶されたネットワーク機器をリストとして画面表示するリスト画面表示ステップと、前記記憶手段に記憶されたネットワーク機器をマップとして配置する位置を指定する位置指定手段と、前記記憶手段に記憶されたネットワーク機器の種類に応じて表示画像を選択する画像選択ステップと、前記位置指定ステップで指定された位置と前記画像選択ステップで選択された画像に応じて前記マップを作成する作成ステップと、前記マップの作成状態を指定する作成状態指定ステップと、前記作成状態指定ステップで指定された作成状態を該当する前記マップと関連付けて前記記憶手段に保存する作成状態保存ステップとを含むことを特徴とするネットワーク管理方法である。
【００１２】
また、請求項７にかかる発明は、請求項６に記載のネットワーク管理方法をコンピュータに実行させるプログラムである。
【発明の効果】
【００１３】
請求項１、６および７にかかる発明によれば、ネットワーク機器の管理状態を表示するマップの作成状態を指定し保存できることで、ネットワークを活用するユーザーの混乱を招くことなく、ネットワーク機器の管理業務の操作性を向上するという効果を奏する。
【００１４】
また、請求項２にかかる発明によれば、マップの作成状態として作成中、作成完了のいずれかを指定できることで、マップ作成状態を明示できるという効果を奏する。
【００１５】
また、請求項３にかかる発明によれば、作成中のマップを開示禁止と指定することで、作成中のマップをユーザーに開示することによる混乱を防ぐという効果を奏する。
【００１６】
また、請求項４にかかる発明によれば、ネットワーク機器の全てに対してマップ作成中であることを告知することで、ネットワークを活用するユーザーの混乱を防ぐという効果を奏する。
【００１７】
また、請求項５にかかる発明によれば、ネットワーク機器の全てが含まれていることを確認した場合に限り、マップ作成状態を作成完了と指定することで、マップ作成作業中の情報の抜け漏れ、誤操作で実情と合致しないために発生する混乱を防ぐという効果を奏する。
【発明を実施するための最良の形態】
【００１８】
以下に添付図面を参照して、本発明にかかるネットワーク管理装置、ネットワーク管理方法およびプログラムの最良な実施の形態を詳細に説明する。
【００１９】
図１は、本実施の形態におけるネットワーク管理装置の構成図である。ネットワーク管理装置は、ネットワーク上に接続される様々なネットワーク機器のネットワークへの登録を管理する装置である。図１に基づき、以下に各部を説明する。ネットワーク管理装置１０は、オフィスフロア内にクライアントＰＣ２０、ＭＦＰ（マルチファンクションプリンタ）３０、ファイルサーバー４０などの様々なネットワーク機器を含むローカルエリア・ネットワーク（ＬＡＮ）、ワイドエリア・ネットワーク（ＷＡＮ）、またはインターネットなどのネットワークに接続されている。
【００２０】
このネットワークは、物理的には１００ＢＡＳＥ−ＴＸなどのイーサネット（登録商標）ケーブルなどによって接続され、ＴＣＰ／ＩＰ、ＵＤＰ(User Datagram Protocol)／ＩＰなどの各機器に応じて適切なプロトコルを使用して、通信を制御されている。このネットワークに接続されるクライアントＰＣ２０、ＭＦＰ（マルチファンクションプリンタ）３０、ファイルサーバー４０など通信手段を有する装置を、以下、ネットワーク機器と総称する。
【００２１】
ネットワーク管理装置１０は、通信制御部１００、Ｗｅｂページ生成部２００、動作制御部３００、情報管理部４００、マップ管理部５００、操作者管理部６００から構成される。本実施の形態においては、クライアントＰＣ２０からアクセスする操作例を説明するが、装置本体に不図示のディスプレイを接続して操作するか、もしくはネットワークを介して別のネットワーク機器から操作するかはいずれでもよい。
【００２２】
また、操作に使用するアプリケーションは、ブラウザ閲覧ソフト、例えば、Ｉｎｅｒｎｅｔ Ｅｘｐｌｏｒｅｒ（Ｒ）、Ｍｏｚｉｌｌａ、Ｎｅｔｓｃａｐｅ Ｎａｖｉｇａｔｏｒ（Ｒ）等を挙げることができる。これらのアプリケーションは、ＯＳにバンドルされているもしくは無償で配布されているもので、容易に入手可能なものであるが、これらに限定されるものではない。
【００２３】
通信制御部１００は、ネットワーク機器の情報を開示する際や、通信コマンドを使用してネットワーク機器の情報を取得する際の通信を制御する。ブラウザ閲覧ソフトを使用してネットワーク管理装置１０を操作する場合、ＨＴＴＰプロトコルなどのＷｅｂブラウジング・プロトコルを使用する通信制御プログラムも含まれる。通信制御部１００としては、例えば、フリーウェアであるＡｐａｃｈｅなどのＷｅｂＳｅｒｖｅｒがあげられるが、これに限定されるものではない。
【００２４】
Ｗｅｂページ生成部２００は、操作者の指示に従って、操作画面に表示するためのＨＴＭＬ、ＸＨＴＭＬ、ＸＭＬなどで記述された構造化ファイルを作成する部分であり、ログインページ生成部２１０、操作画面生成部２２０、リスト画面生成部２３０、マップ画面生成部２４０から構成される。
【００２５】
ログインページ生成部２１０は、ネットワーク管理者もしくは一般ユーザーが本実施の形態におけるネットワーク管理装置１０にアクセスするための、図２のようなログイン画面を作成する。図２は、本実施の形態におけるネットワーク管理装置のログイン画面の一例を示す模式図である。ネットワーク管理装置１０を起動すると、ログインアカウントとパスワードを入力する図２のログイン画面が表れる。操作画面生成部２２０は、ログイン後の操作画面を作成する。ログインした操作者がネットワーク管理者か一般ユーザーかによって操作可能な指示が異なるため、ログインした操作者に応じて図３、もしくは図４のような操作画面を作成する。
【００２６】
図３は、本実施の形態におけるネットワーク管理装置のネットワーク管理操作画面の一例を示す模式図である。以下、図３に従って、ネットワーク管理操作画面について詳細に説明する。ネットワーク管理操作画面７００は、ネットワーク管理者として操作可能なコマンドを示すボタンから構成されており、例えば、リスト作成ボタン７１０、リスト表示ボタン７２０、マップ作成ボタン７３０、マップ作成中ボタン７４０、マップ作成完了ボタン７５０、マップ表示ボタン７６０の６つのボタンから構成される例を示す。
【００２７】
リスト作成ボタン７１０は、ネットワーク機器のリスト情報１０００を作成するためのボタンである。リスト表示ボタン７２０は、ネットワーク機器のリスト情報１０００を画面表示するためのボタンである。マップ作成ボタン７３０は、ネットワーク機器のマップ情報２０００を作成するためのボタンである。マップ作成中ボタン７４０は、マップ情報２０００記憶後、マップ作成状態２３００として「作成中」を指定するためのボタンである。マップ作成完了ボタン７５０は、マップ情報２０００記憶後、マップ作成状態２３００として「作成完了」を指定するためのボタンである。マップ表示ボタン７６０は、記憶されたマップ情報２０００を画面表示するためのボタンである。
【００２８】
また、図４は、本実施の形態におけるネットワーク管理装置のユーザー操作画面の一例を示す模式図である。以下、図４に従って、ユーザー操作画面について詳細に説明する。図４のユーザー操作画面８００は、一般ユーザーとして操作可能なコマンドを示すボタンから構成されており、例えば、リスト表示ボタン８１０、マップ表示ボタン８２０の２つのボタンから構成される例を示す。リスト表示ボタン８１０は、ネットワーク機器のリスト情報１０００を画面表示するためのボタンである。マップ表示ボタン８２０は、ネットワーク機器のマップ情報２０００を画面表示するためのボタンである。
【００２９】
リスト画面生成部２３０は、リスト情報１０００の情報を基にリスト画面３０００を作成する部分である。図５は、本実施の形態におけるネットワーク管理装置のリスト画面を示す図である。図５に示すように、リスト画面３０００は、リスト情報１０００から作成されたリスト表示画面である。ＩＰアドレス１２００、ＭＡＣアドレス１３００、ネットワーク機器固有情報（シリアルナンバー、カウンタなど）１４００等のネットワーク機器の情報を画面表示する。
【００３０】
マップ画面生成部２４０は、マップ情報２０００の情報を基にマップ画面４０００を作成する部分である。図６は、本実施の形態におけるネットワーク管理装置のマップ画面を示す図である。図６に示すように、マップ画面４０００は、マップ情報２０００から作成されたマップ表示画面である。機器名１１００、ＩＰ（Internet Protocol）アドレス１２００、ネットワーク機器のグラフィックイメージ４１００を配置座標２２００に合わせて画面表示する。更に、マップ作成状態２３００も表示する。
【００３１】
動作制御部３００は、通信制御部１００、Ｗｅｂページ生成部２００、情報管理部４００、マップ管理部５００、ユーザー管理部６００が処理する装置内のすべての動作を制御する。このような動作制御部３００は、不図示の中央処理装置（ＣＰＵ）、読み出しメモリ（ＲＯＭ）、記憶メモリ（ＲＡＭ）などから構成されており、ＣＰＵがＲＯＭに格納されたプログラムに基づいてＲＡＭのワーク領域を利用しながら動作することにより、本発明で示すネットワーク管理上の処理を実行する。
【００３２】
情報管理部４００は、通信制御部１００を介してネットワーク機器から取得した情報を管理しており、情報取得部４１０、情報記憶部４２０から構成される。情報取得部４１０は、リスト情報１０００に含まれる機器名１１００、ＩＰアドレス１２００、ＭＡＣアドレス１３００、ネットワーク機器固有情報（シリアルナンバー、カウンタなど）１４００等のネットワーク機器の情報を取得する。情報記憶部４２０は、情報取得部４１０によって取得されたリスト情報１０００を記憶する。また、複数ドメインのネットワークを記憶する場合は、ネットワークの管理ドメイン毎にネットワーク機器の情報を記憶する。
【００３３】
以下、ネットワーク機器の情報記憶について詳細を説明する。図７は、本実施の形態におけるネットワーク管理装置のリスト情報１０００の記憶構造を示す図である。図７に示すように、リスト情報１０００は、機器名１１００、ＩＰ（Internet Protocol）アドレス１２００、ＭＡＣアドレス１３００、ネットワーク機器固有情報１４００（シリアルナンバー、カウンタ等）などから構成されるリストである。情報入力の操作手順詳細は、特に限定されるものではなく、ここでは説明を省略する。
【００３４】
マップ管理部５００は、情報記憶部４２０に記憶されたリスト情報１０００とネットワーク管理者に指示された配置座標２２００に基づいて、マップ情報２０００とマップ作成状態２３００を管理しており、マップ記憶部５１０、マップ状態記憶部５２０から構成される。マップ記憶部５１０は、ネットワーク機器のマップ情報２０００を記憶する。
【００３５】
以下、マップ情報の記憶について詳細を説明する。図８は、本実施の形態におけるネットワーク管理装置のマップ情報２０００の記憶構造を示す図である。図８に示すように、マップ情報２０００は、機器名１１００、ＩＰ（Internet Protocol）アドレス１２００、ネットワーク機器のグラフィックタイプ２１００、配置座標２２００から構成されるリストである。機器名１１００、ＩＰアドレス１２００は、リスト情報１０００に記憶される情報と同一のものであり、それに加えてネットワーク機器のグラフィックタイプ２１００、配置座標２２００が追加される。また、マップ状態記憶部５２０は、マップ情報２０００のマップ作成状態２３００として選択された「作成中」または「作成完了」のいずれかを記憶する。
【００３６】
図９は、本実施の形態におけるネットワーク管理装置の作成状態の記憶構造を示す図である。図９に示すように、マップ作成状態２３００は、ネットワークドメイン名とマップ作成状態から構成されるリストである。図９では、複数ドメインのネットワークが存在する場合、ネットワークドメイン毎にマップ作成状態が記憶される。
【００３７】
操作者管理部６００は、ネットワーク管理装置１０へのアクセスを管理しており、操作者認証部６１０、操作者情報記憶部６２０から構成される。操作者情報記憶部６２０は、操作者認証部６１０が認証するべき操作者情報を記憶する。図２のログイン画面にログインアカウントとパスワードが入力されると、操作者認証部６１０は、操作者情報記憶部６２０が記憶している操作者情報と照合して、アクセス許可を要求する操作者を認証する。
【００３８】
次に、以上のように構成された本実施の形態にかかるネットワーク管理装置による動作について説明する。図１０、１１は、本実施の形態におけるネットワーク管理装置のネットワーク管理者による動作シーケンス図である。以下、図１０、１１のシーケンス図に従って、ネットワーク管理者の操作実施例とネットワーク管理装置各部の動作を説明する。
【００３９】
図１０のＡ部に従って、ネットワーク管理者のログインシーケンスの詳細を説明する。ログイン画面に、ネットワーク管理者としてのログインアカウントとパスワードを入力する（ステップＳ１００）。入力後、操作者認証部６１０は、操作者情報記憶部６２０に記憶された操作者情報と照合する（ステップＳ１０１）。ネットワーク管理者としてアクセスを許可される（ステップＳ１０２）。操作画面生成部２２０にネットワーク管理操作画面７００の作成を指示する（ステップＳ１０３）。ネットワーク管理操作画面７００が表示される（ステップＳ１０４）。
【００４０】
図１０のＢ部に従って、リスト表示のシーケンスの詳細を説明する。リスト表示ボタン７２０が押下されると、リスト情報１０００の画面表示を要求する（ステップＳ２００）。情報記憶部４２０に記憶されたネットワーク機器のリスト情報１０００の読み出しを指示する（ステップＳ２０１）。リスト情報１０００の情報を読み出す（ステップＳ２０２）。リスト画面生成部２３０にリスト画面３０００の作成を指示する（ステップＳ２０３）。リスト画面３０００が表示される（ステップＳ２０４）。
【００４１】
図１０のＣ部に従って、マップ作成のシーケンスの詳細を説明する。マップ作成ボタン７３０が押下されると、マップ初期画面を呼び出す（ステップＳ３００）。マップ初期画面を作成する（ステップＳ３０１）。マップ初期画面を表示する（ステップＳ３０２）。ネットワーク機器のマップ上の配置を指示する（ステップＳ３０３）。作成されたマップ情報２０００の記憶を要求する（ステップＳ３０４）。マップ情報２０００を記憶する（ステップＳ３０５）。記憶が完了すると（ステップＳ３０６）、操作者にマップ記憶完了が報告される（ステップＳ３０７）。マップ作成状態２３００の指定ステップＳ４００またはＳ５００にジャンプする（ステップＳ３０８）。
【００４２】
図１１のＤ部に従って、マップ作成中のシーケンスの詳細を説明する。マップ作成中ボタン７４０が押下されると、マップ作成状態２３００として、「作成中」が指示される（ステップＳ４００）。マップ作成状態２３００として「作成中」を記憶する（ステップＳ４０１）。記憶を完了すると（ステップＳ４０２）、マップ情報２０００の開示を禁止する（ステップＳ４０３）。同時に、マップ作成状態２３００の「作成中」の記憶完了が報告される（ステップＳ４０４）。
【００４３】
図１１のＥ部に従って、マップ作成完了のシーケンスの詳細を説明する。マップ作成完了ボタン７５０が押下されると、マップ作成状態２３００として、「作成完了」が指示される（ステップＳ５００）。全てのネットワーク機器の情報を確認指示する（ステップＳ５０１）。ネットワーク技術上公知の手法により、全てのネットワーク機器の情報を受信しリスト情報１０００を最新に更新する（ステップＳ５０２）。リスト情報１０００とマップ情報２０００の情報を照合する（ステップＳ５０３）。
【００４４】
リスト情報１０００とマップ情報２０００の照合結果を受信する（ステップＳ５０４）。リスト情報１０００とマップ情報２０００の情報が一致していることを確認する（ステップＳ５０５）。もし、リスト情報１０００とマップ情報２０００の情報が一致していなければ、ネットワーク異常としてネットワーク管理者に告知するが、その詳細は特に限定されるものではなく、ここでは説明を省略する。マップ作成状態２３００の「作成完了」を記憶する（ステップＳ５０６）。記憶を完了すると（ステップＳ５０７）、マップの開示を許可する（ステップＳ５０８）。同時に、マップ作成状態２３００の「作成完了」の記憶完了が報告される（ステップＳ５０９）。
【００４５】
図１１のＦ部に従って、マップ表示のシーケンスの詳細を説明する。マップ表示ボタン７６０が押下されると、画面表示するマップ情報２０００を指定する（ステップＳ６００）。指定されたマップ情報２０００を読み出す（ステップＳ６０１）。マップ画面生成部２４０にマップ情報２０００の画面作成を指示する（ステップＳ６０２）。マップ画面４０００が表示される（ステップＳ６０３）。
【００４６】
図１２は、本実施の形態におけるネットワーク管理装置のマップ記憶時の動作フローチャート図である。以上、述べたマップ情報２０００とマップ作成状態２３００の記憶動作については、図１２のフローチャートで更に詳細を説明する。マップ情報２０００の作成処理を実行する（ステップＳ１１００）。マップ情報２０００を記憶するかどうかを選択する（ステップＳ１１０１）。「ＮＯ」を選択した場合はマップ作成処理に戻るが、「ＹＥＳ」を選択すると、マップ記憶処理を実行する（ステップＳ１１０２）。マップ作成状態２３００の選択を指示する（ステップＳ１１０３）。「作成中」を選択されると、マップ作成状態２３００を「作成中」と記憶する（ステップＳ１１０４）。同時に、マップ情報２０００の開示を禁止する（ステップＳ１１０５）。
【００４７】
一方、「作成完了」を選択されると、全てのネットワーク機器の情報を確認指示する（ステップＳ１１０６）。ネットワーク技術上公知の手法により、全てのネットワーク機器の情報を受信しリスト情報１０００を最新に更新する（ステップＳ１１０７）。リスト情報１０００とマップ情報２０００の情報を照合する（ステップＳ１１０８）。
【００４８】
リスト情報１０００とマップ情報２０００の情報が一致していることを確認する（ステップＳ１１０９）。「ＮＯ」ならば、ネットワーク異常を告知する（ステップＳ１１１０）。「ＹＥＳ」ならば、マップ作成状態２３００を「作成完了」と記憶する（ステップＳ１１１１）。同時に、マップ情報２０００の開示を許可する（ステップＳ１１１２）。
【００４９】
図１３は、本実施の形態におけるネットワーク管理装置の一般ユーザーによる動作シーケンス図である。以下、図１３に従って、一般ユーザーの操作実施例とネットワーク管理装置各部の動作を説明する。
【００５０】
図１３のＧ部に従って、一般ユーザーのログインシーケンスの詳細を説明する。ログイン画面に、一般ユーザーとしてのログインアカウントとパスワードを入力する（ステップＳ７００）。入力後、操作者認証部６１０は、操作者情報記憶部６２０に記憶された操作者情報と照合する（ステップＳ７０１）。一般ユーザーとしてアクセスを許可されると（ステップＳ７０２）、操作画面生成部２２０にユーザー操作画面８００の作成を指示する（ステップＳ７０３）。ユーザー操作画面８００が表示される（ステップＳ７０４）。
【００５１】
図１３のＨ部に従って、リスト表示のシーケンスの詳細を説明する。リスト表示ボタン８１０が押下されると、リスト情報１０００の画面表示を要求する（ステップＳ８００）。情報記憶部４２０にリスト情報１０００の読み出しを指示する（ステップＳ８０１）。リスト情報１０００の情報を読み出す（ステップＳ８０２）。リスト画面生成部２３０にリスト画面３０００の画面作成を指示する（ステップＳ８０３）。リスト画面３０００が表示される（ステップＳ８０４）。
【００５２】
図１３のＩ部に従って、マップ作成中のシーケンスの詳細を説明する。マップ表示ボタン８２０が押下されると、画面表示するマップ情報２０００を指定する（ステップＳ９００）。指定されたマップ情報２０００を読み出す（ステップＳ９０１）。マップ作成状態２３００が「作成中」であることを確認する（ステップＳ９０２）。マップ開示が禁止されているため、マップ作成中であることがユーザーに告知される（ステップＳ９０３）。
【００５３】
一方、図１３のＪ部に従って、マップ作成完了のシーケンスの詳細を説明する。マップ表示ボタン８２０が押下されると、画面表示するマップ情報２０００を指定する（ステップＳ１０００）。指定されたマップ情報２０００を読み出す（ステップＳ１００１）。マップ作成状態２３００が「作成完了」であることを確認する（ステップＳ１００２）。マップ開示が許可されているため、マップ画面生成部２４０にマップ画面４０００の画面作成を指示する（ステップＳ１００３）。マップ画面４０００が表示される（ステップＳ１００４）。
【００５４】
以上、述べてきたように、本実施の形態によれば、ネットワーク機器の管理状態を画面表示するマップの作成状態を指定し保存すると共に、その作成状態に応じて適切な処理を行うことで、ネットワークを活用するユーザーの混乱を招くことなく、ネットワーク機器の管理業務の操作性を向上できる。
【００５５】
なお、図３、図４は、ネットワーク管理者、一般ユーザーの操作画面例を示したものであり、これら操作画面の構成に技術の可否が依存するところではない。また、以上記載した本実施の形態におけるネットワーク管理装置の処理を実行するための構成は、図１に限定されるものではなく、本発明が示す処理プログラムをＣＤ−ＲＯＭ、ＤＶＤ（Digital Versatile Disk）など装置可読な記録媒体に格納して、処理実行できる構成においても本実施の形態における効果を得ることは可能である。
【００５６】
これまで本発明を図面に示した実施の形態をもって説明してきたが、本発明は図面に示した実施の形態に限定されるものではなく、他の実施の形態、追加、変更、削除など、当業者が想到することができる範囲内で変更することができ、いずれの態様においても本実施の形態における作用・効果を奏する限り、本実施の形態における範囲に含まれるものである。
【図面の簡単な説明】
【００５７】
【図１】本実施の形態におけるネットワーク管理装置の構成図である。
【図２】本実施の形態におけるネットワーク管理装置のログイン画面の一例を示す模式図である。
【図３】本実施の形態におけるネットワーク管理装置のネットワーク管理操作画面の一例を示す模式図である。
【図４】本実施の形態におけるネットワーク管理装置のユーザー操作画面の一例を示す模式図である。
【図５】本実施の形態におけるネットワーク管理装置のリスト画面を示す図である。
【図６】本実施の形態におけるネットワーク管理装置のマップ画面を示す図である。
【図７】本実施の形態におけるネットワーク管理装置のリスト情報１０００の記憶構造を示す図である。
【図８】本実施の形態におけるネットワーク管理装置のマップ情報２０００の記憶構造を示す図である。
【図９】本実施の形態におけるネットワーク管理装置の作成状態の記憶構造を示す図である。
【図１０】本実施の形態におけるネットワーク管理装置のネットワーク管理者による動作シーケンス図（その１）である。
【図１１】本実施の形態におけるネットワーク管理装置のネットワーク管理者による動作シーケンス図（その２）である。
【図１２】本実施の形態におけるネットワーク管理装置のマップ記憶時の動作フローチャート図である。
【図１３】本実施の形態におけるネットワーク管理装置の一般ユーザーによる動作シーケンス図である。
【符号の説明】
【００５８】
１０  ネットワーク管理装置
２０  クライアントＰＣ
３０  ＭＦＰ（マルチファンクションプリンタ）
４０  ファイルサーバー
１００  通信制御部
２００  Ｗｅｂページ生成部
２１０  ログインページ生成部
２２０  操作画面生成部
２３０  リスト画面生成部
２４０  マップ画面生成部
３００  動作制御部
４００  情報管理部
４１０  情報取得部
４２０  情報記憶部
５００  マップ管理部
５１０  マップ記憶部
５２０  マップ状態記憶部
６００  操作者管理部
６１０  操作者認証部
６２０  操作者情報記憶部
７００  ネットワーク管理操作画面
７１０  リスト作成ボタン
７２０  リスト表示ボタン
７３０  マップ作成ボタン
７４０  マップ作成中ボタン
７５０  マップ作成完了ボタン
７６０  マップ表示ボタン
８００  ユーザー操作画面
８１０  リスト表示ボタン
８２０  マップ表示ボタン
１０００  リスト情報
１１００  機器名
１２００  ＩＰアドレス
１３００  ＭＡＣアドレス
１４００  ネットワーク機器固有情報
２０００  マップ情報
２１００  グラフィックタイプ
２２００  配置座標
２３００  マップ作成状態
３０００  リスト画面
４０００  マップ画面
４１００  グラフィックイメージ
【図１】
2008047070.tif 000003
【図２】
2008047070.tif 000004
【図３】
2008047070.tif 000005
【図４】
2008047070.tif 000006
【図５】
2008047070.tif 000007
【図６】
2008047070.tif 000008
【図７】
2008047070.tif 000009
【図８】
2008047070.tif 000010
【図９】
2008047070.tif 000011
【図１０】
2008047070.tif 000012
【図１１】
2008047070.tif 000013
【図１２】
2008047070.tif 000014
【図１３】
2008047070.tif 000015